(57)【要約】【課題】カメラボディの背面よりも大きいサイズの表示パネルを備える。【解決手段】デジタルカメラ２のカメラボディ５のボディ上面５ａに、磁石１２を２個埋め込む。カメラボディ５のボディ背面に、フレキシブル表示パネル１５を取り付ける。フレキシブル表示パネル１５の後面に、タッチパネル１８を取り付ける。フレキシブル表示パネル１５を、パネル背面部１５ａとパネル上部１５ｂとに区画する。パネル上部１５ｂは、畳み位置と起立位置との間で起倒自在となる。フレキシブル表示パネル１５の前面に、金属片を２個取り付ける。磁石１２の磁気で金属片１６を保持することにより、パネル上部１５ｂは畳み位置に保持される。磁気センサは、磁石１２の磁力を検出し、ＣＰＵに保持信号または保持解除信号を出力する。ＣＰＵは、入力された信号に応じて、デジタルカメラ２を撮影モードまたは再生モードにする。【選択図】図３
2008011232.tif 000002
【特許請求の範囲】
【請求項１】
カメラボディの背面よりも大きいサイズで形成され、前記背面に取り付けられる可撓性を有するフレキシブル表示パネルを備えたデジタルカメラであって、
前記フレキシブル表示パネルの前記背面からはみ出した余剰部分は、前記カメラボディの外周面の形状に合わせて前記背面と連なる他の面に回り込んで畳まれる畳み位置と、この畳み位置から起きあがり、前記背面に取り付けられた部分と同一方向を向く起立位置と、の間で起倒自在であることを特徴とするデジタルカメラ。
【請求項２】
前記フレキシブル表示パネルの背面に、可撓性を有する操作用のタッチパネルを設けたことを特徴とする請求項１記載のデジタルカメラ。
【請求項３】
前記余剰部分を前記畳み位置で保持する保持手段を備えたことを特徴とする請求項１または２記載のデジタルカメラ。
【請求項４】
前記余剰部分が前記畳み位置と前記起立位置とのいずれに位置するかを検出する検出手段を備えたことを特徴とする請求項１ないし３いずれか１つ記載のデジタルカメラ。
【請求項５】
撮影を行う撮影モードと撮影した画像を再生表示する再生モードとで切り換え可能に設けられ、
前記検出手段により前記畳み位置に位置することが検出されたときに前記撮影モードに切り換え、前記検出手段により前記起立位置に位置することが検出されたときに前記再生モードに切り換える切換手段を備えたことを特徴とする請求項４記載のデジタルカメラ。
【請求項６】
撮影を行う撮影モードと撮影した画像を再生表示する再生モードとで切り換え可能に設けられ、
前記撮影モードと前記再生モードとの切り換えを行う切換操作部を設けたことを特徴とする請求項１ないし５いずれか１つ記載のデジタルカメラ。
【請求項７】
前記撮影モード時には、前記余剰部分に撮影に関連した撮影情報を表示し、前記フレキシブル表示パネルの前記余剰部分以外に被写体画像を表示することを特徴とする請求項５または６記載のデジタルカメラ。
【請求項８】
前記カメラボディに、前記フレキシブル表示パネルが挿入され、前記余剰部分が前記畳み位置に位置するときに前記フレキシブル表示パネルが前記カメラボディから突出しないようにするパネル挿入凹部を形成したことを特徴とする請求項１ないし７いずれか１つ記載のデジタルカメラ。
【請求項９】
前記カメラボディと前記フレキシブル表示パネルとの間に衝撃吸収体を設けたことを特徴とする請求項１ないし８いずれか１つ記載のデジタルカメラ。
【請求項１０】
前記カメラボディの背面に設けられ、前記カメラボディ内部に設けられた制御部と前記フレキシブル表示パネルとを電気的に接続する第１接続部と、
前記フレキシブル表示パネルに設けられ、前記第１接続部に電気的に接続する第２接続部と、を備え、
前記第１接続部と前記第２接続部とを接続したときに、前記フレキシブル表示パネルは前記カメラボディの背面に取り付けられ、前記第１接続部と前記第２接続部との接続を解除したときに、前記フレキシブル表示パネルは前記カメラボディの背面から取り外されることを特徴とする請求項１ないし９いずれか１つ記載のデジタルカメラ。
【請求項１１】
前記カメラボディの背面に設けられ、前記カメラボディ内部に設けられた制御部と前記フレキシブル表示パネルとを電気的に接続する第１接続部と、
前記フレキシブル表示パネルに設けられたフレキシブル基板と、
前記フレキシブル基板に設けられ、前記第１接続部に電気的に接続する第２接続部と、を備えたことを特徴とする請求項１ないし９いずれか１つ記載のデジタルカメラ。
【請求項１２】
前記カメラボディに、前記余剰部分を前記畳み位置から前記起立位置に起立させるために操作するときの操作凹部を形成したことを特徴とする請求項１ないし１１いずれか１つ記載のデジタルカメラ。
【請求項１３】
前記畳み位置に位置する前記余剰部分により遮蔽される前記カメラボディの遮蔽部分に、バッテリが挿入されるバッテリ挿入口、データを記憶する記憶部材が挿入される記憶部材挿入口、外部機器との通信を行うための接続部が挿入される通信用接続口、電源用の接続部が挿入される電源用接続口のうちの少なくともいずれか１つを形成したことを特徴とする請求項１ないし１２いずれか１つ記載のデジタルカメラ。
【発明の詳細な説明】
【技術分野】
【０００１】
本発明は、画像を表示する表示パネルを備えたデジタルカメラに関するものである。
【背景技術】
【０００２】
デジタルカメラは、カメラボディの背面に画像を表示する表示パネルが設けられたものが一般的であり、このようなデジタルカメラでは、撮影モードと、撮影した被写体画像を再生表示する再生モードとで切り換えが可能になっている。撮影モードと再生モードとの切り換えは、デジタルカメラに設けられた切換スイッチを操作することにより行う。撮影モードでは、表示パネルに撮影する被写体画像が表示され、再生モードでは、表示パネルに撮影した画像が表示される。
【０００３】
また、特許文献１では、可撓性を有し、折り曲げ可能な表示パネルを設けたデジタルカメラが提案されている。特許文献１のデジタルカメラでは、可撓性を有する有機ＥＬ表示部材を、カメラ内部に格納する位置とカメラ外部に露出する位置とで移動させている。
【特許文献１】特開２００３−３０９７４４号公報
【発明の開示】
【発明が解決しようとする課題】
【０００４】
しかしながら、特許文献１では、有機ＥＬ表示部材をカメラ内部に収納しており、有機ＥＬ表示部材を、カメラボディの背面よりも大きいサイズで形成することはできないため、カメラボディの小型化に伴い、表示パネルも小さくなってしまう。表示パネルは、撮影モードでは撮影する被写体画像を表示し、再生モードでは撮影した画像を再生表示するものであり、小さい表示パネルの場合には、表示した画像が見にくいという問題があった。また、カメラボディの背面には、デジタルカメラを操作するための各種操作ボタンが設けられており、表示パネルを大きくした場合には、操作ボタンを設けるスペースが小さくなり、操作性が悪くなるという問題があった。
【０００５】
本発明は、上記課題を解決するためになされたものであり、カメラボディの背面よりも大きいサイズの表示パネルを備えたデジタルカメラを提供することを目的とする。
【課題を解決するための手段】
【０００６】
上記目的を達成するために、本発明のデジタルカメラは、カメラボディの背面よりも大きいサイズで形成され、前記背面に取り付けられる可撓性を有するフレキシブル表示パネルを備えたデジタルカメラであって、前記フレキシブル表示パネルの前記背面からはみ出した余剰部分は、前記カメラボディの外周面の形状に合わせて前記背面と連なる他の面に回り込んで畳まれる畳み位置と、この畳み位置から起きあがり、前記背面に取り付けられた部分と同一方向を向く起立位置と、の間で起倒自在であることを特徴とする。なお、前記背面と連なる他の面としては、デジタルカメラの上面、側面、底面が挙げられる。また、前記フレキシブル表示パネルとしては、有機ＥＬディスプレイやプラスチック基板を用いた液晶ディスプレイ、無機ＥＬ等が挙げられる。
【０００７】
また、前記フレキシブル表示パネルの背面に、可撓性を有する操作用のタッチパネルを設けることが好ましい。
【０００８】
さらに、前記余剰部分を前記畳み位置で保持する保持手段を備えることが好ましい。また、前記余剰部分が前記畳み位置と前記起立位置とのいずれに位置するかを検出する検出手段を備えることが好ましい。
【０００９】
さらに、撮影を行う撮影モードと撮影した画像を再生表示する再生モードとで切り換え可能に設けられ、前記検出手段により前記畳み位置に位置することが検出されたときに前記撮影モードに切り換え、前記検出手段により前記起立位置に位置することが検出されたときに前記再生モードに切り換える切換手段を備えることが好ましい。
【００１０】
また、撮影を行う撮影モードと撮影した画像を再生表示する再生モードとで切り換え可能に設けられ、前記撮影モードと前記再生モードとの切り換えを行う切換操作部を設けることが好ましい。
【００１１】
さらに、前記撮影モード時には、前記余剰部分に撮影に関連した撮影情報を表示し、前記フレキシブル表示パネルの前記余剰部分以外に被写体画像を表示することが好ましい。
【００１２】
また、前記カメラボディに、前記フレキシブル表示パネルが挿入され、前記余剰部分が前記畳み位置に位置するときに前記フレキシブル表示パネルが前記カメラボディから突出しないようにするパネル挿入凹部を形成することが好ましい。
【００１３】
さらに、前記カメラボディと前記フレキシブル表示パネルとの間に衝撃吸収体を設けることが好ましい。
【００１４】
また、前記カメラボディの背面に設けられ、前記カメラボディ内部に設けられた制御部と前記フレキシブル表示パネルとを電気的に接続する第１接続部と、前記フレキシブル表示パネルに設けられ、前記第１接続部に電気的に接続する第２接続部と、を備え、前記第１接続部と前記第２接続部とを接続したときに、前記フレキシブル表示パネルは前記カメラボディの背面に取り付けられ、前記第１接続部と前記第２接続部との接続を解除したときに、前記フレキシブル表示パネルは前記カメラボディの背面から取り外されることが好ましい。
【００１５】
さらに、前記カメラボディの背面に設けられ、前記カメラボディ内部に設けられた制御部と前記フレキシブル表示パネルとを電気的に接続する第１接続部と、前記フレキシブル表示パネルに設けられたフレキシブル基板と；前記フレキシブル基板に設けられ、前記第１接続部に電気的に接続する第２接続部と、を備えることが好ましい。
【００１６】
また、前記カメラボディに、前記余剰部分を前記畳み位置から前記起立位置に起立させるために操作するときの操作凹部を形成することが好ましい。
【００１７】
さらに、前記畳み位置に位置する前記余剰部分により遮蔽される前記カメラボディの遮蔽部分に、バッテリが挿入されるバッテリ挿入口、データを記憶する記憶部材が挿入される記憶部材挿入口、外部機器との通信を行うための接続部が挿入される通信用接続口、電源用の接続部が挿入される電源用接続口のうちの少なくともいずれか１つを形成することが好ましい。
【発明の効果】
【００１８】
本発明のデジタルカメラによれば、カメラボディの背面よりも大きいサイズで形成され、背面に取り付けられる可撓性を有するフレキシブル表示パネルを備え、フレキシブル表示パネルの背面からはみ出した余剰部分は、カメラボディの外周面の形状に合わせて背面と連なる他の面に回り込んで畳まれる畳み位置と、この畳み位置から起きあがり、背面に取り付けられた部分と同一方向を向く起立位置と、の間で起倒自在であるから、余剰部分を起立位置に位置させると、カメラボディの背面よりも大きなサイズで画像を表示することができる。
【００１９】
また、フレキシブル表示パネルの背面に、可撓性を有する操作用のタッチパネルを設けたから、カメラボディの背面に操作ボタン等を設ける必要がなく、フレキシブル表示パネルを、カメラボディの背面の全面に亘って取り付けることができる。
【００２０】
さらに、余剰部分を畳み位置で保持する保持手段を備えたから、ユーザが手で余剰部分を起立位置から畳み位置に畳んだ後に手を離しても、余剰部分を畳み位置に位置させ続けることができる。
【発明を実施するための最良の形態】
【００２１】
図１及び図２に示すように、本発明を実施したデジタルカメラ２には、撮影レンズが組み込まれたレンズ鏡筒３、電源のオン／オフを行うための電源ボタン４等が設けられている。レンズ鏡筒３は、デジタルカメラ２が電源オフ状態にある際に、カメラボディ５内部に収納され、電源オンとともにカメラボディ５の前面から突出する。デジタルカメラ２は、撮影を行う撮影モードと、撮影した画像を再生表示する再生モードとで切り換え可能にされている。
【００２２】
カメラボディ５のボディ上面５ａには、メモリカード（記憶部材）６が挿入されるメモリカードスロット（記憶部材挿入口）７、バッテリ８が挿入されるバッテリスロット（バッテリ挿入口）９、外部機器とのデータ通信を行うための通信ケーブルのジャックが挿入されるジャックスロット（通信用接続口）１０が設けられている。メモリカードスロット７の奥には、メモリカード６へのデータの読み書きを行なうメモリカードリーダが内蔵されている。また、ボディ上面５ａには、後述するフレキシブル表示パネル１５に設けられた金属片１６を保持する磁石１２が２個埋め込まれている。なお、メモリカードスロット７、バッテリスロット９及びジャックスロット１０は、塵芥の侵入等を防止するために、フレキシブル表示パネル１５によって保護されている。
【００２３】
ボディ上面５ａには、ユーザが、後述するフレキシブル表示パネル１５のパネル上部１５ｂを起立させるために操作するときに、指を挿入する指挿入凹部５ｂがカメラボディ５の前面に亘って形成されている。
【００２４】
図３及び図４に示すように、カメラボディ５は、そのボディ背面からボディ上面５ａに連結する範囲がＲ状に形成されている。カメラボディ５のボディ背面には、弾性変形可能なフレキシブル表示パネル１５が取り付けられている。このフレキシブル表示パネル１５は、幅方向がカメラボディ５の幅と略同一に形成され、高さ方向がカメラボディ５のボディ背面の下側端からボディ上面５ａ（背面と連なる他の面）に回り込んでボディ上面５ａの前側端までの長さと略同一に形成されている。すなわち、フレキシブル表示パネル１５はカメラボディ５のボディ背面よりも大きなサイズで形成され、フレキシブル表示パネル１５を、ボディ背面とボディ上面５ａとに沿って重ね合わせると、ボディ背面及びボディ上面５ａはフレキシブル表示パネル１５により覆われた状態となる。さらに、この状態では、フレキシブル表示パネル１５の上側端がボディ上面５ａの前側端と略一致する。フレキシブル表示パネル１５は、撮影モード時にはビューファインダとして機能する。
【００２５】
フレキシブル表示パネル１５は、カメラボディ５のボディ背面に取り付けられたパネル背面部１５ａと、ボディ背面からはみ出したパネル上部（余剰部分）１５ｂ（図３における二点鎖線よりも上側の部分）と、に区画される。フレキシブル表示パネル１５は、弾性変形可能であり、パネル上部１５ｂは、Ｒ状の部分を含むボディ上面５ａに沿って畳まれる畳み位置（図２及び図４参照）と、畳み位置から起きあがり、パネル背面部１５ａと同一方向を向く起立位置（図１及び図３参照）と、の間で起倒自在となっている。
【００２６】
デジタルカメラ２が撮影モードのときには、パネル背面部１５ａには撮影する被写体画像が表示され、パネル上部１５ｂには、撮影に関連した撮影情報（日付、時刻、天候、絞り、明るさ、シャッタスピード、バッテリ残量、メモリ残量、画像データ量等）が表示される。
【００２７】
フレキシブル表示パネル１５の前面には、パネル上部１５ｂが畳み位置に位置するときに磁石１２に対面する位置に、金属片１６（図１参照）が２個取り付けられている。磁石１２の磁気による金属片１６の保持力は、パネル上部１５ｂが、畳み位置から起立位置に起き上がろうとする（復元しようとする）弾性変形力よりも大きくされている。これにより、磁石１２で金属片１６を保持しているときには、パネル上部１５ｂは、畳み位置に保持される。
【００２８】
フレキシブル表示パネル１５の後面には、デジタルカメラ２を操作するときの操作部が表示される弾性変形可能なタッチパネル１８が取り付けられている。タッチパネル１８は、フレキシブル表示パネル１５と略同一のサイズで形成されている。タッチパネル１８には、シャッタレリーズ操作に用いられるシャッタボタン部２１、撮影時の撮影画像をズームする拡大ズームボタン部２２及び縮小ズームボタン部２３、メモリカード６に記憶したデータを再生するための再生ボタン部２４、フレキシブル表示パネル１５に表示する画像を切り換える表示切換ボタン部２５、各種設定を行うためのメニューキー部２６、撮影モードと再生モードとの切り換えを行うためのモード切換ボタン部（切換操作部）２７等が表示される。タッチパネル１８は、ＣＰＵ３０（図５参照）に接続されている。ユーザは、タッチパネル１８に表示された各部２１〜２７に指で触れる（以下、タッチすると称する）ことにより、デジタルカメラ２を操作する。
【００２９】
デジタルカメラ２は、撮影モードと再生モードとで切り換え可能にされており、撮影モードから再生モードに切り換えるときには、モード切換ボタン部２７の「再生」が表示された部分をタッチし、再生モードから撮影モードに切り換えるときには、モード切換ボタン部２７の「撮影」が表示された部分をタッチする。
【００３０】
図５は、本発明のデジタルカメラ２の電気的構成を示すブロック図であり、詳しくは図示しないが、レンズ鏡筒３には、焦点調整を行なうフォーカス用モータと、ズーミングを行なうズーム用モータとが組み込まれている。これらのモータは、デジタルカメラ２全体を制御するＣＰＵ（制御部）３０に接続されたモータドライバ３７によって駆動制御される。また、レンズ鏡筒３内には、絞り兼用のシャッタユニットが組み込まれており、このシャッタユニットもＣＰＵ３０によって制御される。
【００３１】
レンズ鏡筒３の背後には、撮影レンズを透過した被写体光が撮像されるＣＣＤ３１が配置されている。このＣＣＤ３１には、ＣＰＵ３０によって制御されるタイミングジェネレータ３８からタイミング信号（クロック信号）が入力される。ＣＣＤ３１から出力された信号は、相関二重サンプリング回路（ＣＤＳ）３２に入力され、ＣＣＤ３１の各セルの蓄積電荷量に正確に対応したＲ、Ｇ、Ｂの画像データとして出力される。ＣＤＳ３２から出力された画像データは、増幅器（ＡＭＰ）３３で増幅され、Ａ／Ｄ変換器３４でデジタルデータに変換される。
【００３２】
画像入力コントローラ３５は、データバス４０を介してＣＰＵ３０に接続されており、ＣＰＵ３０の命令によってＣＣＤ３１，ＣＤＳ３２，ＡＭＰ３３，Ａ／Ｄ変換器３４を制御する。また、Ａ／Ｄ変換器３４から出力された画像データをビデオメモリ４１、あるいはバッファメモリ４２に書き込む。
【００３３】
ビデオメモリ４１は、フレキシブル表示パネル１５をビューファインダとして使用する際に、解像度の低い画像データが一時的に記録される。ビデオメモリ４１に記録された画像データは、データバス４０を介してパネルドライバ４３に送られ、フレキシブル表示パネル１５に表示される。バッファメモリ４２は、撮像された高解像度の画像データが一時的に記録される。このバッファメモリ４２から読み出された画像データは、メディアコントローラ４５によって駆動制御されるメモリカードリーダによりメモリカード６に記録される。
【００３４】
画像信号処理回路４７は、撮像された高解像度の画像データがバッファメモリ４２内に記録されている間に、例えば階調変換、色変換、画像の超低周波輝度成分の階調を圧縮するハイパートーン処理、粒状を抑制しながらシャープネスを強調するハイパーシャープネス処理等の画像処理を施す。
【００３５】
フレキシブル表示パネル１５は、パネルドライバ４３を介してＣＰＵ３０に接続されており、ＣＰＵ３０により制御される。デジタルカメラ２が撮影モードのときには、ＣＰＵ３０は、ビューファインダとして使用されるパネル背面部１５ａに、撮影する被写体画像を表示する。ユーザは、パネル背面部１５ａに表示された画像を確認しながら、撮影を行う。なお、パネル背面部１５ａの画像を表示する表示範囲は、図４における点線よりも左側の範囲である。これにより、表示した画像が、タッチパネル１８に表示された各部２１〜２７に重なって見にくいということがない。
【００３６】
また、デジタルカメラ２が撮影モードのときには、ＣＰＵ３０は、パネル上部１５ｂに、上記した撮影情報を表示する。
【００３７】
一方、デジタルカメラ２が再生モードのときには、ＣＰＵ３０は、パネル背面部１５ａとパネル上部１５ｂとの両方を使って画像を再生表示する。なお、パネル背面部１５ａ及びパネル上部１５ｂの画像を表示する表示範囲は、図３における点線よりも左側の範囲である。これにより、再生した画像が、タッチパネル１８に表示された各部２１〜２７に重なって見にくいということがない。
【００３８】
カメラボディ５のボディ上面５ａに埋め込まれた磁石１２は、磁気センサ（検出手段）４８に接続されている。磁気センサ４８は、磁石１２の磁力を検出するものであり、ＣＰＵ３０に接続されている。磁石１２は、フレキシブル表示パネル１５に設けられた金属片１６を磁気により保持するとき（パネル上部１５ｂが畳み位置）と、金属片１６を保持しないとき（パネル上部１５ｂが起立位置）と、で発する磁力が異なる。磁気センサ４８は、磁石１２から発せられた磁力を検出し、磁石１２が金属片１６を保持しているときの磁力を検出したときには、ＣＰＵ３０に保持信号を出力し、磁石１２が金属片１６を保持していないときの磁力を検出したときには、ＣＰＵ３０に保持解除信号を出力する。
【００３９】
ＣＰＵ３０は、保持信号が入力されているときには、デジタルカメラ２を撮影モードにし、保持解除信号が入力されているときには、デジタルカメラ２を再生モードにする。すなわち、パネル上部１５ｂが畳み位置に位置するときには撮影モードとなり、パネル上部１５ｂが起立位置に位置するときには再生モードとなる。本実施形態では、ＣＰＵ３０は、パネル上部１５ｂが畳み位置に位置するときに撮影モードに切り換え、パネル上部１５ｂが起立位置に位置するときに再生モードに切り換える切換手段としても機能する。
【００４０】
ユーザが、タッチパネル１８に表示されたモード切換ボタン部２７の「再生」が表示された部分をタッチしたときには、タッチパネル１８からＣＰＵ３０に再生信号が入力される。ＣＰＵ３０は、再生信号が入力されたときには、磁気センサ４８を制御し、磁気センサ４８からの信号の出力を停止するとともに、デジタルカメラ２を再生モードにする。すなわち、パネル上部１５ｂが畳み位置に位置するときにも、モード切換ボタン部２７をタッチすることにより、デジタルカメラ２を再生モードにすることができる。この場合には、ＣＰＵ３０は、パネル背面部１５ａに画像（メモリカード６に記憶された画像データ）を再生表示する。
【００４１】
また、ユーザが、タッチパネル１８に表示されたモード切換ボタン部２７の「撮影」が表示された部分をタッチしたときには、タッチパネル１８からＣＰＵ３０に撮影信号が入力される。ＣＰＵ３０は、撮影信号が入力されたときには、磁気センサ４８を制御し、磁気センサ４８からの信号の出力を停止するとともに、デジタルカメラ２を撮影モードにする。すなわち、パネル上部１５ｂが起立位置に位置するときにも、モード切換ボタン部２７をタッチすることにより、デジタルカメラ２を撮影モードにすることができる。この場合には、ＣＰＵ３０は、パネル背面部１５ａとパネル上部１５ｂとの両方を使って、撮影する被写体画像を表示する。
【００４２】
ＣＰＵ３０が、磁気センサ４８からの信号の出力を停止した状態のときに、ユーザが、パネル上部１５ｂを変位（畳み位置→起立位置、起立位置→畳み位置）させたときには、ＣＰＵ３０は、タッチパネル１８を制御し、タッチパネル１８からの信号の出力を停止するとともに、磁気センサ４８からの信号の出力を再開させる。すなわち、デジタルカメラ２は、磁気センサ４８からの信号に応じたモードとなる。
【００４３】
デジタルカメラ２が撮影モードで、パネル上部１５ｂが畳み位置に位置するときには、ＣＰＵ３０は、パネル背面部１５ａに撮影する被写体画像を表示し、パネル上部１５ｂに撮影情報を表示する。デジタルカメラ２が撮影モードで、パネル上部１５ｂが起立位置に位置するときには、ＣＰＵ３０は、パネル背面部１５ａとパネル上部１５ｂとの両方を使って、撮影する被写体画像を表示する。
【００４４】
デジタルカメラ２が再生モードで、パネル上部１５ｂが畳み位置に位置するときには、ＣＰＵ３０は、パネル背面部１５ａに画像を再生表示する。デジタルカメラ２が再生モードで、パネル上部１５ｂが起立位置に位置するときには、ＣＰＵ３０は、パネル背面部１５ａとパネル上部１５ｂとの両方を使って、画像を再生表示する。
【００４５】
ユーザが、タッチパネル１８に表示された表示切換ボタン部２５をタッチすると、モード及びパネル上部１５ｂの位置に係わらずに、パネル背面部１５ａとパネル上部１５ｂとに表示する画像（被写体画像、再生画像）及び撮影情報の表示パターンを切り換えることができる。この画像表示パターンは、６種類設けられており、パネル背面部１５ａに画像及び撮影情報を表示する第１パターン、パネル背面部１５ａに画像を表示しパネル上部１５ｂに撮影情報を表示する第２パターン、パネル上部１５ｂに画像及び撮影情報を表示する第３パターン、パネル上部１５ｂに画像を表示しパネル背面部１５ａに撮影情報を表示する第４パターン、パネル上部１５ｂに画像を表示し撮影情報を各部１５ａ，１５ｂに表示しない第５パターン、パネル背面部１５ａに画像を表示し撮影情報を各部１５ａ，１５ｂに表示しない第６パターンとされている。ユーザが、表示切換ボタン部２５をタッチすると、タッチパネル１８からＣＰＵ３０に表示切換信号が入力される。ＣＰＵ３０は、表示切換信号が入力されたときには、フレキシブル表示パネル１５を制御し、フレキシブル表示パネル１５の表示パターンを、第１パターン→第２パターン・・・→第６パターン→第１パターン・・・の順に切り換える。
【００４６】
次に、本実施形態の作用について、図６のフローチャートを用いて説明を行う。ユーザは、電源ボタン４を押圧して、デジタルカメラ２の電源をオンする（ステップ（以下、Ｓ）１）。電源がオンされると、磁気センサ４８は、磁石１２の磁力を検出し、検出した磁力に応じて保持信号（パネル上部１５ｂが起立位置）または保持解除信号（パネル上部１５ｂが畳み位置）を出力する（Ｓ２）。
【００４７】
ＣＰＵ３０は、入力された信号が保持信号か否かを判定し（Ｓ３）、保持信号が入力されているとき（Ｓ３でＹ）には、デジタルカメラ２を撮影モードにする（Ｓ４）。そして、電源がオフされたか否かを検出し（Ｓ５）、電源がオンの場合には、（Ｓ２）に戻る。
【００４８】
一方、ＣＰＵ３０は、保持解除信号が入力されているとき（Ｓ３でＮ）には、デジタルカメラ２を再生モードにする（Ｓ６）。そして、電源がオフされたか否かを検出し（Ｓ５）、電源がオンの場合には、（Ｓ２）に戻る。
【００４９】
ユーザは、撮影モードで撮影を行うときには、パネル上部１５ｂを起立位置に位置させ、再生モードで画像の再生を行うときには、パネル上部１５ｂを畳んで畳み位置に位置させる。また、ユーザは、パネル上部１５ｂの位置に関係なく、モードを選択したいときには、モード切換ボタン部２７にタッチする。
【００５０】
このように、フレキシブル表示パネル１５を、カメラボディ５のボディ背面よりも大きいサイズで形成し、パネル上部１５ｂを起立位置と畳み位置とで起倒自在にしたから、パネル上部１５ｂを起立位置に位置させると、パネル背面部１５ａとパネル上部１５ｂとの両方を使って、画像を表示することができ、カメラボディ５のボディ背面よりも大きなサイズで画像を表示することができる。さらに、パネル上部１５ｂを畳み位置に位置させることにより、デジタルカメラ２をバッグ等に収納するときにも、フレキシブル表示パネル１５が邪魔になることがない。
【００５１】
また、磁石１２によりパネル上部１５ｂを畳み位置に保持するから、ユーザが手でパネル上部１５ｂを畳み位置に畳んだ後に手を離しても、パネル上部１５ｂを畳み位置に位置させ続けることができる。
【００５２】
さらに、磁気センサ４８は、パネル上部１５ｂが畳み位置と起立位置とのどちらに位置するかによって異なる磁石１２の磁力を検出して、検出した磁力に応じて保持信号または保持解除信号を出力し、ＣＰＵ３０は、磁気センサ４８から入力される信号に応じてモードを切り換えるから、パネル上部１５ｂが畳み位置に位置するときには撮影モードにし、パネル上部１５ｂが起立位置に位置するときには再生モードにすることができる。これにより、ユーザは、パネル上部１５ｂを起倒させるだけで、容易にモードを切り換えることができ、モード切換ボタン部２７にタッチしてモードを切り換えるという手間を省くことができる。
【００５３】
また、パネル上部１５ｂを畳み位置に位置させると、パネル上部１５ｂにより、メモリカードスロット７、バッテリスロット９及びジャックスロット１０は遮蔽されるから、各スロット７，９，１０に塵芥が侵入するのを防止することができる。
【００５４】
なお、上記実施形態では、磁石１２の磁力を検出する磁気センサ４８を設け、検出した磁力に応じて、パネル上部１５ｂが畳み位置と起立位置とのどちらに位置するかを検出するようにしたが、これに限定されることなく、パネル上部１５ｂが畳み位置と起立位置とのどちらに位置するかを検出することができればよく、パネル上部１５ｂが畳み位置に位置するときにオンとなり、パネル上部１５ｂが起立位置に位置するときにはオフとなるスイッチを設け、スイッチのオン／オフにより、パネル上部１５ｂが畳み位置と起立位置とのどちらに位置するかを検出するようにしてもよい。
【００５５】
また、上記実施形態では、磁石１２と金属片１６とを設け、磁石１２で金属片１６を保持することによりパネル上部１５ｂを畳み位置に保持したが、パネル上部１５ｂを畳み位置に保持する方法は限定されることなく、マジックテープ（登録商標）を用いた保持方法、フック等を用いたメカ的な保持方法等、適宜変更可能である。
【００５６】
さらに、上記実施形態では、タッチパネル１８に、シャッタボタン部２１、拡大ズームボタン部２２、縮小ズームボタン部２３、再生ボタン部２４、表示切換ボタン部２５、各メニューキー部２６、モード切換ボタン部２７を表示したが、これに限定されることなく、タッチパネル１８に表示する操作部は、適宜変更可能である。
【００５７】
また、上記実施形態では、パネル上部１５ｂを、ボディ上面５ａに沿って畳まれる畳み位置と、畳み位置から起きあがり、パネル背面部１５ａと同一方向を向く起立位置と、の間で起倒自在にしたが、これに限定されることなく、カメラボディ５のボディ背面からはみ出したフレキシブル表示パネル１５の余剰部分が、ボディ背面と連なる他の面に回り込んで畳まれる畳み位置と、この畳み位置から起きあがり、ボディ背面に取り付けられた部分と同一方向を向く起立位置と、の間で起倒自在であればよく、例えば、フレキシブル表示パネル１５を、幅方向の長さがカメラボディ５の幅方向よりも長くなるように形成してもよい。
【００５８】
さらに、上記実施形態では、カメラボディ５を、そのボディ背面からボディ上面５ａに連結する範囲がＲ状になるように形成し、畳み位置に位置するパネル上部１５ｂは、Ｒ状の部分を含むボディ上面５ａに沿って畳まれるようにしたが、上記Ｒ状の部分をＣ面状に形成し、畳み位置に位置するパネル上部１５ｂを、Ｃ面状の部分を含むボディ上面５ａに沿って畳まれるようにしてもよい。
【００５９】
また、上記実施形態では、デジタルカメラ２に本発明を実施したが、デジタルビデオカメラ等にも本発明は実施可能である。
【００６０】
図７、図８及び図９に他の実施形態を示す。上記実施形態のものと同様の構成部材には同一の符号を付し、その詳細な説明を省略する。この実施形態では、カメラボディ５には、弾性変形可能なフレキシブル表示パネル５０が挿入されるパネル挿入凹部５ｃが、ボディ上面５ａからボディ背面５ｄに亘って形成されている。このパネル挿入凹部５ｃは、フレキシブル表示パネル５０の厚みよりも若干大きい凹量で形成されている。これにより、フレキシブル表示パネル５０が畳み位置に位置するときに、フレキシブル表示パネル５０がボディ上面５ａ及びボディ背面５ｄから突出することがない。
【００６１】
ボディ上面５ａには、シャッタレリーズ操作に用いられるシャッタボタン５１が設けられている。ボディ背面５ｄには、撮影時の撮影画像をズームする拡大ズームボタン５２及び縮小ズームボタン５３、メモリカード６に記憶したデータを再生するための再生ボタン５４、フレキシブル表示パネル１５に表示する画像を切り換える表示切換ボタン５５、各種設定を行うためのメニューキーボタン５６、撮影モードに切り換える撮影モードボタン（切換操作部）５７、再生モードに切り換える再生モードボタン（切換操作部）５８等が設けられている。各ボタン５１〜５８は、ＣＰＵ３０に接続されている。ユーザは、各ボタン５１〜５８を押圧操作ことにより、デジタルカメラ２を操作する。
【００６２】
フレキシブル表示パネル５０は、幅方向がパネル挿入凹部５ｃの幅と略同一に形成され、高さ方向が、パネル挿入凹部５ｃの下側端からパネル挿入凹部５ｃのボディ上面５ａ（背面と連なる他の面）に形成された部分に回り込んでパネル挿入凹部５ｃの前側端までの長さと略同一に形成されている。すなわち、フレキシブル表示パネル５０を、パネル挿入凹部５ｃに沿って重ね合わせると、パネル挿入凹部５ｃはフレキシブル表示パネル５０により覆われた状態となる。
【００６３】
フレキシブル表示パネル５０は、パネル挿入凹部５ｃのボディ背面５ｄに形成された部分に取り付けられたパネル背面部５０ａと、ボディ背面５ｄからはみ出したパネル上部（余剰部分）５０ｂ（図８における二点鎖線よりも上側の部分）と、に区画される。フレキシブル表示パネル５０は弾性変形可能であり、パネル上部５０ｂは、パネル挿入凹部５ｃのボディ上面５ａに形成された部分に沿って畳まれる畳み位置（図９参照）と、畳み位置から起きあがり、パネル背面部５０ａと同一方向を向く起立位置（図８参照）と、の間で起倒自在となっている。
【００６４】
このように、カメラボディ５にパネル挿入凹部５ｃを設け、パネル挿入凹部５ｃにフレキシブル表示パネル５０を挿入したから、フレキシブル表示パネル５０が畳み位置に位置するときには、フレキシブル表示パネル５０がボディ上面５ａ及びボディ背面５ｄから突出することがなく、カメラボディ５のサイズアップを防ぐことができるとともに、デザイン性を向上することができる。
【００６５】
図１０及び図１１に他の実施形態を示す。図１〜図５に示す実施形態のものと同様の構成部材には同一の符号を付し、その詳細な説明を省略する。この実施形態では、フレキシブル表示パネル１５は、カメラボディ５に着脱自在に取り付けられる。カメラボディ５のボディ背面５ｄには、フレキシブル表示パネル１５に取り付けられたコネクタ（第２接続部）６１が挿入されるコネクタ挿入口５ｅが形成されている。コネクタ挿入口５ｅの内部には、コネクタ６１と電気的に接続する第１接続部としての接続端子（図示せず）が設けられており、この接続端子は、ＣＰＵ３０に接続されている。ＣＰＵ３０は、接続端子、コネクタ６１を介してフレキシブル表示パネル１５を制御する。
【００６６】
カメラボディ５のボディ上面５ａには、磁石１２が２個、衝撃を吸収する素材（例えばスポンジ、ゴム、ゴムチューブ、ビニールチューブ等）からなる衝撃吸収体６２が２個、それぞれ取り付けられている。ボディ背面５ｄには、衝撃吸収体６２が４個取り付けられている。
【００６７】
コネクタ６１をコネクタ挿入口５ｅに挿入して接続端子に接続し、フレキシブル表示パネル１５をカメラボディ５に取り付けると、フレキシブル表示パネル１５は、カメラボディ５に直接接触することなく、衝撃吸収体６２に接触する。これにより、フレキシブル表示パネル１５に外部からの衝撃が加えられたときにも、衝撃吸収体６２により衝撃が吸収され、カメラボディ５に衝撃が伝わることがなく、外部からフレキシブル表示パネル１５に加えられた衝撃により、カメラボディ５の内部に設けられた電子部品が壊れることがない。
【００６８】
カメラボディ５からフレキシブル表示パネル１５を取り外すときには、コネクタ６１をコネクタ挿入口５ｅから抜き取り、コネクタ６１と接続端子との接続を解除する。
【００６９】
このように、フレキシブル表示パネル１５を、カメラボディ５に着脱自在に取り付けたから、フレキシブル表示パネル１５が破損または故障したときにも、フレキシブル表示パネル１５を交換することができる。
【００７０】
図１２及び図１３に他の実施形態を示す。図１〜図５に示す実施形態のものと同様の構成部材には同一の符号を付し、その詳細な説明を省略する。この実施形態では、フレキシブル表示パネル１５は、カメラボディ５に着脱自在に取り付けられる。フレキシブル表示パネル１５には、弾性変形可能な素材（例えば、ポリイミド樹脂等）からなるフレキシブル基板７０が取り付けられている。フレキシブル基板７０には、コネクタ（第２接続部）７１が取り付けられている。
【００７１】
カメラボディ５のボディ背面５ｄには、フレキシブル基板７０に取り付けられたコネクタ７１が挿入されるコネクタ挿入口５ｅが形成されている。コネクタ挿入口５ｅの内部には、コネクタ７１と電気的に接続する第１接続部としての接続端子（図示せず）が設けられており、この接続端子は、ＣＰＵ３０に接続されている。ＣＰＵ３０は、接続端子、コネクタ７１、フレキシブル基板７０を介してフレキシブル表示パネル１５を制御する。
【００７２】
カメラボディ５のボディ上面５ａには、磁石１２が２個、衝撃を吸収する素材（例えばスポンジ、ゴム、ゴムチューブ、ビニールチューブ等）からなる衝撃吸収体７２が２個、それぞれ取り付けられている。ボディ背面５ｄには、磁石１２が４個、衝撃吸収体７２が４個取り付けられている。フレキシブル表示パネル１５の前面には、パネル上部１５ｂが畳み位置に位置するときに磁石１２に対面する位置に、金属片１６が６個取り付けられている。
【００７３】
フレキシブル表示パネル１５をカメラボディ５に取り付けるときには、フレキシブル基板７０を折り曲げ、コネクタ７１をコネクタ挿入口５ｅに挿入して接続端子に接続した後、磁石１２により金属片１６を保持させる。カメラボディ５からフレキシブル表示パネル１５を取り外す場合には、磁石１２から金属片１６を取り外した後、コネクタ７１をコネクタ挿入口５ｅから抜き取り、コネクタ７１と接続端子との接続を解除する。
【００７４】
このように、フレキシブル基板７０を介して、フレキシブル表示パネル１５とＣＰＵ３０とを接続したから、デジタルカメラ２が落下し、その衝撃でフレキシブル表示パネル１５がカメラボディ５から外れたときにも、フレキシブル表示パネル１５とＣＰＵ３０との電気的な接続が断絶されることを防止することができる。
【図面の簡単な説明】
【００７５】
【図１】本発明を実施したデジタルカメラの外観を示す斜視図である。
【図２】フレキシブル表示パネルが畳み位置に位置するときのデジタルカメラの正面斜視図である。
【図３】フレキシブル表示パネルが起立位置に位置するときのデジタルカメラの背面斜視図である。
【図４】フレキシブル表示パネルが畳み位置に位置するときのデジタルカメラの背面斜視図である。
【図５】デジタルカメラの電気的構成を示すブロック図である。
【図６】デジタルカメラの操作の流れを示すフローチャートである。
【図７】カメラボディにフレキシブル表示パネルが挿入されるパネル挿入凹部が形成された実施形態のカメラボディとフレキシブル表示パネルとを示す背面斜視図である。
【図８】図７に示す実施形態のフレキシブル表示パネルが起立位置に位置するときのデジタルカメラの背面斜視図である。
【図９】図７に示す実施形態のフレキシブル表示パネルが畳み位置に位置するときのデジタルカメラの背面斜視図である。
【図１０】フレキシブル表示パネルを着脱自在にカメラボディに取り付ける実施形態のカメラボディとフレキシブル表示パネルとを示す背面斜視図である。
【図１１】図１０に示す実施形態のフレキシブル表示パネルが起立位置に位置するときのデジタルカメラの背面斜視図である。
【図１２】フレキシブル表示パネルにフレキシブル基板を取り付けた実施形態のカメラボディとフレキシブル表示パネルとフレキシブル基板とを示す背面斜視図である。
【図１３】図１２に示す実施形態のフレキシブル表示パネルが起立位置に位置するときのデジタルカメラの背面斜視図である。
【符号の説明】
【００７６】
２  デジタルカメラ
５  カメラボディ
５ａ  ボディ上面
５ｂ  指挿入凹部
５ｃ  パネル挿入凹部
５ｄ  ボディ背面
５ｅ  コネクタ挿入口
６  メモリカード（記憶部材）
７  メモリカードスロット（記憶部材挿入口）
８  バッテリ
９  バッテリスロット（バッテリ挿入口）
１０  ジャックスロット（通信用接続口）
１２  磁石（保持手段）
１５、５０  フレキシブル表示パネル
１５ａ、５０ａ  パネル背面部
１５ｂ、５０ｂ  パネル上部（余剰部分）
１６  金属片
１８  タッチパネル
２７  モード切換ボタン部（切換操作部）
３０  ＣＰＵ（制御部）
４８  磁気センサ（検出手段）
５７  撮影モードボタン（切換操作部）
５８  再生モードボタン（切換操作部）
６１、７１  コネクタ（第２接続部）
６２、７２  衝撃吸収体
７０  フレキシブル基板
【図１】
2008011232.tif 000003
【図２】
2008011232.tif 000004
【図３】
2008011232.tif 000005
【図４】
2008011232.tif 000006
【図５】
2008011232.tif 000007
【図６】
2008011232.tif 000008
【図７】
2008011232.tif 000009
【図８】
2008011232.tif 000010
【図９】
2008011232.tif 000011
【図１０】
2008011232.tif 000012
【図１１】
2008011232.tif 000013
【図１２】
2008011232.tif 000014
【図１３】
2008011232.tif 000015